(57)【要約】      （修正有）【課題】洗浄装置の駆動用モータ及び給電線を不要とし、しかも、洗浄液を用いない乾式洗浄とし、小型化及び軽量化でき、この結果、一般家庭にも設置できる車椅子車輪用洗浄装置を提供する。【解決手段】電動車椅子１は、フレーム１１、後輪として駆動輪（タイヤ）１２Ｌ及び前輪としての自在輪（タイヤ）１３Ｌを備えている。洗浄装置２は、車輪走行台２１と、駆動輪１２Ｌを回転支持するための１対のローラ２２ａ−１、２２ａ−２と、ローラ２２ａ−１、２２ａ−２間に設けられた洗浄部２３ａと、自在輪１３Ｌを回転支持するための１対のローラ２２ｂ−１、２２ｂ−２と、ローラ２２ｂ−１、２２ｂ−２間に設けられた洗浄部２３ｂとを備えている。内側のローラ２２ａ−２と内側のローラ２２ｂ−１とはタイミングベルト２４によって接続され、ローラ２２ａ−２、２２ｂ−１をロックするためのラチェット及びラチェット爪が設けられている。【選択図】図１
2017210130.tif 000002
【特許請求の範囲】
【請求項１】
後輪及び前輪を有する車椅子の車輪用洗浄装置において、
前記後輪を回転支持するための第１の外側ローラ及び第１の内側ローラと、
前記前輪を回転支持するための第２の外側ローラ及び第２の内側ローラと、
前記第１の外側ローラと前記第１の内側ローラとの間に設けられた第１の洗浄部と、
前記第２の外側ローラと前記第２の内側ローラとの間に設けられた第２の洗浄部と、
前記第１の内側ローラと前記第２の内側ローラとの間に設けられた車輪走行台と、
前記第１の内側ローラと前記第２の内側ローラとを同期回転させるための同期回転機構と、
前記第１の内側ローラ又は前記第２の内側ローラをロックするためのロック機構と
を具備することを特徴とする車椅子車輪用洗浄装置。
【請求項２】
前記同期回転機構は、
前記第１、第２の内側ローラの端部に設けられた第１、第２のプーリと、
前記第１、第２のプーリ間を連結するタイミングベルトと
を具備する請求項１に記載の車椅子車輪用洗浄装置。
【請求項３】
前記同期回転機構は、
前記第１、第２の内側ローラの端部に設けられた第１、第２のスプロケットと、
前記第１、第２のスプロケット間を連結するチェーンと
を具備する請求項１に記載の車椅子車輪用洗浄装置。
【請求項４】
前記第１、第２の洗浄部は、
スポンジと、
前記スポンジの周囲に巻かれた布と
を具備する請求項１に記載の車椅子車輪用洗浄装置。
【請求項５】
前記ロック機構は、
前記第１、第２の内側ローラの１つの端部に設けられたラチェットと、
前記ラチュットの回転を停止させるためのラチェット爪と
を具備する請求項１に記載の車椅子車輪用洗浄装置。
【請求項６】
前記後輪は駆動輪であり、前記前輪は自在輪である請求項１に記載の車椅子車輪用洗浄装置。
【請求項７】
さらに、
前記第１の外側ローラの外側に設けられた第１のスロープと、
前記第２の外側ローラの外側に設けられた第２のスロープと
を具備する請求項１に記載の車椅子車輪用洗浄装置。
【請求項８】
左後輪、左前輪、右後輪及び右前輪を有する車椅子の車輪用洗浄装置において、
請求項１〜請求項６のいずれかに記載の車椅子車輪用洗浄装置により構成された前記左後輪及び前記左前輪用の左本体構成と、
請求項１〜請求項６のいずれかに記載の車椅子車輪用洗浄装置により構成された前記右後輪及び前記右前輪用右本体構成と、
前記左本体構成と前記右本体構成とを結合する中央台と
を具備する車椅子車輪用洗浄装置。
【請求項９】
前記中央台は取手を具備する請求項８に記載の車椅子車輪用洗浄装置。
【請求項１０】
さらに、前記左本体構成及び前記右本体構成と前記中央台とを結合するための蝶番を具備し、前記左本体構成及び前記右本体構成を前記中央台に対して折り畳めるようにした請求項８に記載の車椅子車輪用洗浄装置。
【請求項１１】
前記左本体構成及び前記右本体構成は、それぞれ、前記中央台と反対側に折り畳み時用キャスタ及び折り畳み後用キャスタを具備し、
前記左本体構成及び前記右本体構成を折り畳んだ状態で、前記折り畳み後用キャスタは前記折り畳み時用キャスタより外側にありかつ前記折り畳み後用キャスタは前記折り畳み時用キャスタより長い請求項１０に記載の車椅子車輪用洗浄装置。
【請求項１２】
さらに、前記左本体構成及び前記右本体構成に共通に設けられた第１、第２のスロープを具備する請求項８に記載の車椅子車輪用洗浄装置。
【請求項１３】
前記第１、第２のスロープは前記右本体構成及び前記右本体構成に対してガイドを有する請求項１２に記載の車椅子車輪用洗浄装置。
【発明の詳細な説明】
【技術分野】
【０００１】
本発明は、車椅子車輪（タイヤ）用洗浄装置に関する。
【背景技術】
【０００２】
最近、高齢化社会を迎え、車椅子を利用する一般家庭が増加している。このような一般家庭においては、帰宅時に車椅子車輪（タイヤ）による部屋の汚染防止は重要である。この汚染防止のために、車椅子車輪の洗浄が必要である。
【０００３】
第１の従来の車椅子車輪用洗浄装置は、荷台と、荷台上に搭載された前輪洗浄ユニット及び後輪洗浄ユニットとを備え、各洗浄ユニットは、洗浄ブラシロール、支援ロール、洗浄液パン及び洗浄ブラシロールの回転駆動機構（モータ）を有している（参照：特許文献１）。
【０００４】
しかしながら、上述の第１の従来の車椅子車輪用洗浄装置は、大型かつ重量であるので、一般家庭に備えることが困難であり、しかも、ユーザは車椅子から降車して車椅子を洗浄装置の高い荷台上の位置まで持ち上げなければならないので、ユーザ１人では洗浄は実質上不可能であり、ユーザの利便性が図れない。
【０００５】
尚、第１の従来の車椅子車輪用洗浄装置と同様に、大型かつ重量で一般家庭に備えることができず、しかもユーザは車椅子から降車して車椅子を洗浄装置の高い荷台上の位置に持ち上げなければならず、ユーザ１人では実質上不可能な他の車椅子車輪用洗浄装置は多く知られている（参照：特許文献２等）。
【０００６】
第２の従来の車椅子車輪用洗浄装置においては、車椅子車輪を載置する洗浄テーブルの前後にスロープを設け、小型かつ軽量で、ユーザが車椅子に乗車したまま車椅子車輪を洗浄でき、従って、ユーザの利便性が図れる（参照：特許文献３及び非特許文献１）。
【先行技術文献】
【特許文献】
【０００７】
【特許文献１】特開２０１３−１５８５１９号公報
【特許文献２】特開２０１２−７１６６７号公報
【特許文献３】特開２００３−２７６５７８号公報
【非特許文献】
【０００８】
【非特許文献１】http://www.ailabel.org/製品のご案内/ar-0-車椅子洗浄機/
【発明の概要】
【発明が解決しようとする課題】
【０００９】
しかしながら、上述の第２の従来の車椅子車輪用洗浄装置においては、依然として、電動ブラシ等の駆動モータ、駆動モータへの給電のための給電線を必要とし、また、洗浄液を用いた湿式洗浄のために、汚水の処理を必要とする。従って、小型化及び軽量化が不充分であり、この結果、車椅子車輪の洗浄場所が限定され、一般家庭に備えることが困難であるという課題がある。
【課題を解決するための手段】
【００１０】
上述の課題を解決するために、本発明に係る車椅子車輪用洗浄装置は、後輪及び前輪を有する車椅子の車輪用洗浄装置において、後輪を回転支持するための第１の外側ローラ及び第１の内側ローラと、前輪を回転支持するための第２の外側ローラ及び第２の内側ローラと、第１の外側ローラと第１の内側ローラとの間に設けられた第１の洗浄部と、第２の外側ローラと第２の内側ローラとの間に設けられた第２の洗浄部と、第１の内側ローラと第２の内側ローラとの間に設けられた車輪走行台と、第１の内側ローラと第２の内側ローラとを同期回転させるための同期回転機構と、第１の内側ローラ又は第２の内側ローラをロックするためのロック機構とを具備するものである。
【発明の効果】
【００１１】
本発明によれば、洗浄装置の駆動用モータ及び給電線が不要となり、しかも、洗浄液を用いない乾式洗浄であるので、小型化及び軽量化でき、この結果、一般家庭にも設置できる。
【図面の簡単な説明】
【００１２】
【図１】本発明に係る車椅子車輪用洗浄装置の実施の形態を示す概略左側面図である。
【図２】図１の洗浄部を示す図であって、（Ａ）はその構造を示し、（Ｂ）はその取付方法を説明するものである。
【図３】図１のロック機構を示す図であって、（Ａ）は非ロック状態を示し、（Ｂ）はロック状態を示す。
【図４】図１のスロープを示す斜視図である。
【図５】図１〜図４の洗浄装置の全体図であって、（Ａ）は展開状態を示し、（Ｂ）は折り畳み状態を示す。
【図６】図１〜図４の洗浄装置の動作を説明するための図である。
【図７】図６の（Ｅ）の洗浄動作の詳細を示す図である。
【図８】図１〜図４の洗浄装置の洗浄効果を説明するための図であって、（Ａ）は洗浄前の駆動輪を示し、（Ｂ）は洗浄後の駆動輪を示す。
【図９】実際に製造された図１の車椅子車輪用洗浄装置の詳細な斜視図である。
【図１０】図９のロック機構の部分拡大図である。
【図１１】図１０のＸＩ−ＸＩ線断面図である。
【発明を実施するための形態】
【００１３】
図１は本発明に係る車椅子車輪用洗浄装置の実施の形態を示す概略左側面図である。図１においては、車椅子として電動車椅子を採用する。
【００１４】
図１において、電動車椅子１は、フレーム１１、フレーム１１の後方に設けられ、モータ（図示せず）によって駆動される後輪として駆動輪（タイヤ）１２Ｌ及びフレーム１１の前方に設けられた前輪としての自在輪（タイヤ）１３Ｌを備えている。この場合、自在輪１３Ｌはキャスタ型であって、フレーム１１の自在輪１３Ｌに対する支軸１１ａに対して自在輪１３Ｌの回転軸１３ａは後方側にずれている。尚、駆動輪１２Ｌ及び自在輪１３Ｌは電動車椅子１の左側の構成であり、電動車椅子１の右側には、駆動輪１２Ｌ及び自在輪１３Ｌと同一の駆動輪１２Ｒ及び自在輪１３Ｒの構成が存在する。
【００１５】
他方、電動車椅子１を洗浄するための洗浄装置２は、車輪走行台２１と、車輪走行台２１の後方側に設けられ、駆動輪１２Ｌを回転支持するための１対のローラ２２ａ−１、２２ａ−２と、ローラ２２ａ−１、２２ａ−２間に設けられた洗浄部２３ａと、車輪走行台２１の前方側に設けられ、自在輪１３Ｌを回転支持するための１対のローラ２２ｂ−１、２２ｂ−２と、ローラ２２ｂ−１、２２ｂ−２間に設けられた洗浄部２３ｂとを備えている。この場合、ローラ２２ａ−１、２２ａ−２の内側のローラ２２ａ−２とローラ２２ｂ−１、２２ｂ−２の内側のローラ２２ｂ−２とは同期回転機構としてのローラ２２ａ−２、２２ｂ−１の各端部に設けられたプーリ２４ａ（図９参照）間のタイミングベルト２４によって接続され、また、図１には図示しないが、同期回転機構のロック機構、つまりローラ２２ａ−２、２２ｂ−１をロックするためのロック機構としてのラチェット２５ａ及びラチェット爪２５ｂ（図３、図１０、図１１参照）が設けられている。尚、ローラ２２ａ−２、２２ｂ−１の各端部にスプロケットを設け、スプロケット間の同期回転機構としてチェーンを設けてもよい。
【００１６】
上述の構成は洗浄装置２の左本体構成ＬＢであり、図示しないが、駆動輪１２Ｒ及び自在輪１３Ｒにも同様の右本体構成ＲＢ（図５参照）が設けられる。
【００１７】
また、ローラ２２ａ−１の前方側には、電動車椅子１が洗浄装置２上に乗り易くするためのスロープ２６ａが設けられ、他方、ローラ２２ｂ−２の後方側には、電動車椅子１が洗浄装置２上から降り易くするためのスロープ２５ｂが設けられている。
【００１８】
図２は図１の洗浄部２３ａ（２３ｂ）を示す図であって、（Ａ）はその構造を示し、（Ｂ）はその取付方法を説明するものである。
【００１９】
図２の（Ａ）に示すように、洗浄部２３ａ（２３ｂ）は、スポンジ２３１の周囲に布２３２を巻いたものである。図２の（Ｂ）に示すように、洗浄部２３ａ（２３ｂ）をローラ２２ａ−１、２２ａ−２（２２ｂ−１、２２ｂ−２）間に挿入し、両端をマジックテープ（登録商標）２３３で固定する。洗浄部２３ａ（２３ｂ）の布２３２は駆動輪１２Ｌ（自在輪１３Ｌ）の摩擦で駆動輪１２Ｌ（自在輪１３Ｌ）の汚れを乾式洗浄する。布２３２が汚れた場合には、マジックテープ（登録商標）２３３を外した後に、布２３２を取外し、布２３２は洗濯することにより再度使用できる。
【００２０】
図３は図１のロック機構としてのラチェット２５ａ、ラチェット爪２５ｂ及びロッド２５ｃを示す図であって、（Ａ）は非ロック状態を示し、（Ｂ）はロック状態を示す。
【００２１】
図３に示すように、ラチェット２５ａはローラ２２ａ−２（又はローラ２２ｂ−１）の端部に設けられ、これに対応して、ラチェット爪２５ｂは回転可能に支持され、ロッド２５ｃによって回転できる。従って、図３の（Ａ）に示すように、ユーザによってロッド２５ｃが回転されてラチェット爪２５ｂがラチェット２５ａの歯に入っていなければ、ローラ２２ａ−２は非ロック状態であり、従って、タイミングベルト２４によってローラ２２ｂ−１も非ロック状態となる。他方、図３の（Ｂ）に示すように、ユーザによってロッド２５ｃが回転されてラチェット爪２５ｂがラチェット２５ａの歯に入ると、ローラ２２ａ−２はロック状態となり、従って、タイミングベルト２４によってローラ２２ｂ−１もロック状態となる。尚、図３においては、ロッド２５ｃが短く操作しにくいが、実際には、ロッド２５ｃには図示しないレバー又はポールが取付けられ、このレバー又はポールがユーザの手に届く範囲にあるようにする。従って、ユーザはレバー又はポールによって非ロック状態、ロック状態を容易に選択できる。
【００２２】
図４は図１のスロープたとえば２５ａを示す斜視図である。
【００２３】
図４に示すごとく、スロープ２５ａは右側の自在輪１３Ｒ及び駆動輪１２Ｒ及び左側の自在輪１３Ｌ及び駆動輪１２Ｌに共通に設けられており、３つのガイド２５−１、２５−２、２５−３によって自在輪１３Ｒ及び駆動輪１２Ｒ並びに自在輪１３Ｌ及び駆動輪１２Ｌが洗浄装置２の左本体構成ＬＢ及び右本体構成ＲＢ（図５参照）に乗り易くなっている。
【００２４】
スロープ２５ｂもスロープ２５ａと同様の構成をなしており、３つのガイドによって自在輪１３Ｒ及び駆動輪１２Ｒ並びに自在輪１３Ｌ及び駆動輪１２Ｌが洗浄装置２の左本体構成ＬＢ及び右本体構成ＲＢ（図５参照）から降り易くなっている。
【００２５】
尚、スロープ２５ａ、２５ｂの裏面には、滑り止め樹脂（図示せず）を貼り付け、これにより、自在輪１３Ｌ、１３Ｒ、駆動輪１２Ｌ、１２Ｒが本体構成ＬＢ、ＲＢに乗る際または降りる際には、スロープ２５ａ、２５ｂが移動しないようにする。同様に、洗浄装置２の本体構成ＬＢ、ＲＢにも、滑り止め樹脂（図示せず）を貼り付け、これにより、本体構成ＬＢ、ＲＢも移動しないようにする。
【００２６】
図５は図１〜図４の洗浄装置２の全体図であって、（Ａ）は展開状態を示し、（Ｂ）は折り畳み状態を示す。
【００２７】
図５の（Ａ）に示すように、図１、図２、図３の洗浄装置２の左本体構成ＬＢである中央支持台２１、ローラ２２ａ−１、２２ａ−２；２２ｂ−１、２２ｂ−２、洗浄部２３ａ、２３ｂ、タイミングベルト２４、ラチェット２５ａ、ラチェット爪２５ｂは、左側駆動輪１２Ｌ及び自在輪１３Ｌ側に設けられると共に、同様の右本体構成ＲＢが右側駆動輪１２Ｒ及び自在輪１３Ｒ側に設けられる。これら２つの本体構成ＬＢ、ＲＢは取手２７ａが付いた中央台２７によって結合されている。他方、スロープ２５ａ、２５ｂは左本体構成ＬＢ及び右本体構成ＲＢに共通に設けられる。図５の（Ａ）の展開状態のサイズはたとえば１０９０ｍｍ×８７５ｍｍである。
【００２８】
本体構成ＬＢ、ＲＢは、中央台２７において折り畳むことができるように、本体構成ＬＢ、ＲＢと中央台２７との間は蝶番２８によって結合されている。また、各本体構成ＬＢ、ＲＢの中央台２７の反対側には、折り畳み時に用いられる折り畳み時用キャスタ２９及び折り畳み後の移動に用いられる折り畳み後用キャスタ３０が設けられている。このため、折り畳み後用キャスタ３０は折り畳み時用キャスタ２９より外側に位置し、また、折り畳み後用キャスタ３０は折り畳み時用キャスタ２９より長くなっている。図５の（Ｂ）の折り畳み状態のサイズは、スロープ２５ａ、２５ｂを除き、たとえば４００ｍｍ×２０５ｍｍと非常に小さくなる。
【００２９】
図５の（Ｂ）に示すように、折り畳み時には、内側の折り畳み時用キャスタ２９を床等に滑らせ、折り畳み後には、外側の折り畳み後用キャスタ３０を床等に接触させて移動できる。この場合、内側の折り畳み時用キャスタ２９は移動に関与しない。他方、図５の（Ｂ）に示すように、スロープ２５ａ、２５ｂは、洗浄装置２の本体構成ＬＢ、ＲＢを折り畳む際には、本体構成ＬＢ、ＲＢと分離されて収納される。
【００３０】
図６は図１〜図４の洗浄装置の動作を説明するための図である。
【００３１】
始めに、図６の（Ａ）に示すように、本体構成ＬＢ、ＲＢは中央台２７において折り畳められ、スロープ２６ａ、２６ｂと分離されてたとえば一般家庭の玄関等に保管されている。
【００３２】
次に、図６の（Ｂ）、（Ｃ）を参照すると、ヘルパ等が保管されていた洗浄装置（機械）を展開し、スロープ２６ａ、２６ｂと共にたとえば一般家庭等の所定場所に設置する。
【００３３】
次に、図６の（Ｄ）を参照すると、ユーザは電動車椅子１を前進移動させ、スロープ２５ａを介して本体構成ＬＢ、ＲＢに乗せる。この結果、駆動輪１２Ｌはローラ２２ａ−１、２２ａ−２及び洗浄部２３ａ上に位置し、自在輪１３Ｌはローラ２２ｂ−１、２２ｂ−２及び洗浄部２３ｂ上に位置する。この場合、本体構成ＬＢ、ＲＢのローラ２２ａ−２、２２ｂ−１（図１参照）をロックさせておくが、ロックさせなくともよい。しかし、電動車椅子１を後進移動させて本体構成ＬＢ、ＲＢに乗せない方がよい。後進移動させると、電動車椅子１の自在輪１３Ｌの回転軸１３ａ（図１参照）がフレーム１１の支軸１１ａに対して外側に位置し、後述の洗浄動作のときに自在輪１３Ｌに押圧力が作用し、最悪は自在輪１３Ｌが脱輪することになるからである。
【００３４】
次に、図６の（Ｅ）を参照すると、ユーザは本体構成ＬＢ、ＲＢのローラ２２ａ−２、２２ｂ−１（図１参照）のロック状態をレバー又はポールを倒して解除する。次いで、ユーザは電動車椅子１の駆動輪１２Ｌ（１２Ｒ）を前進駆動する。この場合、電動車椅子１は前進移動をしない。つまり、図７に示すごとく、ローラ２２ａ−１と共に、ロックが解除されているローラ２２ａ−２も回転し、駆動輪１２Ｌは洗浄部２３ａ上を摺動して洗浄される。また、同時に、ローラ２２ａ−２の回転はタイミングベルト２４によってローラ２２ｂ−１に伝達され、従って、自在輪１３Ｌもローラ２２ｂ−２と共に回転する。この結果、自在輪１３Ｌも洗浄部２３ｂを摺動して洗浄される。このとき、自在輪１３Ｌに対してはローラ２２ｂ−１による引張力が作用するので、自在輪１３Ｌが脱輪することなく、洗浄動作が安定的に行われる。尚、洗浄時間はほぼ３分程度であり、非常に短時間で済む。
【００３５】
次に、図６の（Ｆ）を参照すると、図６の（Ｅ）の洗浄終了状態において、ユーザがレバー又はポールを操作して本体構成ＬＢ、ＲＢのローラ２２ａ−２、２２ｂ−１をロック状態にする。この結果、ユーザが電動車椅子１の前進駆動を持続すると、駆動輪１２Ｌはロックされたローラ２２ａ−２を乗り上げ、さらに、ロックされたローラ２２ｂ−１を通過し、駆動輪１２Ｌは自在輪１３Ｌと共にスロープ２５ｂを降りていく。
【００３６】
このように、洗浄動作が終了すると、図６の（Ａ）に示すごとく、ヘルパ等が洗浄装置を折り畳んで一般家庭の玄関等に保管する。
【００３７】
図８は図１〜図４の洗浄装置の洗浄効果を説明するための図である。図８の（Ａ）に示す洗浄前の駆動輪は洗浄後に図８の（Ｂ）に示すごとくなり、洗浄効果が認められた。
【００３８】
図９は実際に製造された図１の車椅子車輪用洗浄装置の詳細な斜視図、図１０は図９のロック機構の部分拡大図、図１１は図１０のＸＩ−ＸＩ線断面図である。図９〜図１１において、ラチェット２５ａに噛むラチェット爪２５ｂを回転させるためのロッド２５ｃには図示しないレバー又はポールが取付けられる。このレバー又はポールはユーザが容易に操作できるようにほぼ垂直に立っており、従って、レバー又はポールを操作することによりロック動作は容易に可能となる。
【００３９】
尚、上述の実施の形態では、車椅子として電動車椅子を用いたが、本発明は手動車椅子にも適用できる。この場合には、駆動輪１２Ｌ、１２Ｒは手動にて回転される。
【００４０】
また、ローラ２２ａ−１、２２ａ−２、洗浄部２３ａとローラ２２ｂ−１、２２ｂ−２、洗浄部２３ｂとの間隔はいずれか一方の位置を調整可能にし、これにより、車椅子の駆動輪１２Ｌ（１２Ｒ）と自在輪１３Ｌ（１３Ｒ）との間隔に合わせて調整することができる。
【００４１】
さらに、本発明は上述の実施の形態の自明の範囲でいかなる変更にも適用できる。
【符号の説明】
【００４２】
１：電動車椅子
１１：フレーム
１１ａ：支軸
１２Ｌ：駆動輪
１３Ｌ：自在輪
１３ａ：回転軸
２：洗浄装置
２１：車輪走行台
２２ａ−１、２２ａ−２、２２ｂ−１、２２ｂ−２：ローラ
２３ａ、２３ｂ：洗浄部
２４：タイミングベルト
２５ａ：ラチェット
２５ｂ：ラチェット爪
２５ｃ：ロッド
２６ａ、２６ｂ：スロープ
２６−１、２６−２、２６−３：ガイド
２７：中央台
２７ａ：取手
２８：蝶番
２９：折り畳み時用キャスタ
３０：折り畳み後用キャスタ
ＬＢ：左本体構成
ＲＢ：右本体構成
【図１】
2017210130.tif 000003
【図２】
2017210130.tif 000004
【図３】
2017210130.tif 000005
【図４】
2017210130.tif 000006
【図５】
2017210130.tif 000007
【図６】
2017210130.tif 000008
【図７】
2017210130.tif 000009
【図８】
2017210130.tif 000010
【図９】
2017210130.tif 000011
【図１０】
2017210130.tif 000012
【図１１】
2017210130.tif 000013